(57)【特許請求の範囲】
【請求項１】
両端に開口部を有する胴体と、上記開口部を閉塞する一対の革とを備えた太鼓であって、
上記胴体は、筒状の内側胴体部と、筒状竹を縦割りにした長尺で弧状の竹材を上記内側胴体部の外周に多数並設した外側胴体部とで構成され、
上記竹材は、該竹材と上記内側胴体部との間に閉断面状の空間部を形成するように竹材の表皮側を上記胴体の外側に向けて配置されるとともに竹材の両端部が内側胴体部の上記開口部側に対応するように位置付けられ、
上記一対の革は、上記空間部の長手方向両端及び内側胴体部の両端開口部を閉塞するように竹材及び内側胴体部に圧接されていることを特徴とする太鼓。
【請求項２】
請求項１に記載の太鼓であって、
一対の革の外周縁は環状枠にそれぞれ結合され、該環状枠は竹材の長手方向略中央に交差部を形成しかつＸ状となるように引掛けた牽引紐で互いに牽引され、上記交差部は胴体の外周に沿って複数形成されるとともに隣接する交差部を連結部材により互いに接近させかつ接離可能に連結して複数の連結部を形成し、該連結部間の少なくとも１箇所は上記牽引紐により略菱形状の空間域が形成されていることを特徴とする太鼓。
【請求項３】
請求項１又は２に記載の太鼓であって、
竹材は燻し処理されていることを特徴とする太鼓。
【発明の詳細な説明】
【技術分野】
【０００１】
この発明は、太鼓の改良に関するものである。
【背景技術】
【０００２】
従来、特許文献１のように、両端に開口部を有する筒状の胴体と、上記開口部を閉塞する一対の革とを備えた太鼓が知られている。また、特許文献２のように、一木づくりで中央部がくびれた胴体の両端開口部に革を当て、該革を張設するリング枠にロープを引掛け、さらに該ロープを胴体の中央部で周方向に沿ってロープを巻き締めることにより、革の張力を調整して太鼓の音色を変えるようにしたものが知られている。
【特許文献１】特開２００２−５５６７７号公報（第１頁、図１）
【特許文献２】特開２００２−１４９１５４号公報（第２頁、図１、図３）
【発明の開示】
【発明が解決しようとする課題】
【０００３】
ところで、太鼓は、バチで革を打つときと胴体を打つときとがある。胴体を打つときには、特許文献１及び２のように胴体が木質に近い音色を出すようにした繊維強化プラスチック製及び木製であるため、その音色は木質調そのものであった。
【０００４】
また、特許文献２のものは、リング枠に引掛けたロープの締付け力を調整することにより革の張力を変えて音色を変えることができるものの、ロープが胴体中央部で全周にわたって巻き付けられているため、バチで胴体を打ったときバチがロープに当たり、即ち胴体を直接打つことができず要求する音色が出ないことがあった。つまり、バチで胴体を打つ該胴体表面のスペースが狭く、確実に胴体を直接打つことが困難であった。
【０００５】
この発明は斯かる点に鑑みてなされたものであり、その目的とするところは、竹材の音色が強調された音を出すことのできる太鼓を提供することにある。
【課題を解決するための手段】
【０００６】
上記目的を達成するために、この発明では、太鼓の胴体を内側胴体部と竹材からなる外側胴体部とで構成したを特徴とする。
【０００７】
具体的には、両端に開口部を有する胴体と、上記開口部を閉塞する一対の革とを備えた太鼓を対象とし、次のような解決手段を講じた。
【０００８】
すなわち、請求項１に係る発明は、上記胴体は、筒状の内側胴体部と、筒状竹を縦割りにした長尺で弧状の竹材を上記内側胴体部の外周に多数並設した外側胴体部とで構成され、上記竹材は、該竹材と上記内側胴体部との間に閉断面状の空間部を形成するように竹材の表皮側を上記胴体の外側に向けて配置されるとともに竹材の両端部が内側胴体部の上記開口部側に対応するように位置付けられ、上記一対の革は、上記空間部の長手方向両端及び内側胴体部の両端開口部を閉塞するように竹材及び内側胴体部に圧接されていることを特徴とする太鼓。
【０００９】
請求項２に係る発明は、請求項１に記載の太鼓であって、一対の革の外周縁は環状枠にそれぞれ結合され、該環状枠は竹材の長手方向略中央に交差部を形成しかつＸ状となるように引掛けた牽引紐で互いに牽引され、上記交差部は胴体の外周に沿って複数形成されるとともに隣接する交差部を連結部材により互いに接近させかつ接離可能に連結して複数の連結部を形成し、該連結部間の少なくとも１箇所は上記牽引紐により略菱形状の空間域が形成されていることを特徴とする太鼓。
【００１０】
請求項３に係る発明は、請求項１又は２に記載の太鼓であって、竹材は燻し処理されていることを特徴とする。
【発明の効果】
【００１１】
請求項１の発明によれば、内側胴体部と外側胴体部を構成する竹材との間に空間部が形成されているため、竹材をバチで打つと、竹材の打音が大気中に響く。一方、竹材の振動が上記空間部の空気に伝播して内側胴体部に作用し、これにより該内側胴体部が共振する。この共振がさらに内側胴体部内の空気に伝播して胴体両側の革が共振し、これにより音を出す。竹材の上記打音と革の共振音とはそれぞれ異なった音色の音でほぼ同時に出るため、この異なった音色が合成されて、竹材の音色が強調された特有の音色の音が太鼓から発せられる。
【００１２】
また、一対の革が内側胴体部及び長手方向からの圧縮力に強い竹材の両端部に圧接されているので、その圧接力は内側胴体部と竹材とに分散される。このため、従来のように内側胴体部の肉厚を厚くしたり高強度の高価な材料を使用したりする必要がなく、安価な太鼓を得ることができる。
【００１３】
さらに、上記胴体表面は、弧状の竹材が多数配設されているため、その表面が波形状をなして外観見栄え（意匠性）に優れている。
【００１４】
請求項２の発明によれば、一対の革を牽引する牽引紐を、複数の連結部間の少なくとも１箇所に略菱形状の空間域が形成されるようにしたため、該空間域には上記連結部材が存在せず、バチで外側胴体部を打つとき広い上記空間域を打つようにすることにより、上記連結部材や牽引紐を打つことなく外側胴体部の竹材を直接容易に打つことができて、要求する竹材の音色が強調された音を得ることができる。
【００１５】
請求項３の発明によれば、竹材は燻し処理されているため、燻し処理されていない竹材に比べて硬く、バチで打ったとき高い音色の音を出すことができるとともに竹材の表面に傷が付き難い。さらに、竹材が燻し色を呈して太鼓の外観見栄えが一層向上しする。
【発明を実施するための最良の形態】
【００１６】
以下、この発明の実施形態を図面に基づいて詳細に説明する。
【００１７】
《発明の実施形態１》
図１はこの発明の太鼓１の斜視図、図２は図１のII−II線断面図、図３は図１のIII−III線断面図である。
【００１８】
太鼓１の胴体３は、両端に開口部５aを有する筒状の内側胴体部５と、筒状竹を縦割りにした長尺で弧状の竹材７aをその長手方向両端部が内側胴体部５の上記開口部５a側に対応するように位置付けられて内側胴体部５の外周に多数並設した外側胴体部７とで構成されている。上記竹材７aは、燻し処理されているため該燻し処理がされていない竹材に比べて硬く、その表面は茶褐色の燻し色を呈している。上記内側胴体部５は、紙材を圧縮して成形したダンボール製である。
【００１９】
上記外側胴体部７を構成する竹材７aは、該竹材７aの内周面（裏面）７bと内側胴体部５の外周面５bとの間に閉断面状の空間部９を形成するように竹材７aの表皮側（表面)７cを上記胴体３の外側に向けて並設されている。換言すれば、上記竹材７aは、弧状の中央部が胴体３の外側に突出して、弧状の両端縁が内側胴体部５の外周面５bに実質的に当接して該外周面５bと竹材７aとの間に閉断面状の空間部９を形成している。
【００２０】
そして、複数の上記竹材７aは、その長手方向両端近傍において、隣接する竹材７aが互いに連結紐１１で連結されている。即ち、各竹材７aの長手方向両端のコーナ部近傍に一対の貫通孔７d, ７eが形成されている。上記連結紐１１は、竹材７aの上記一対の貫通孔７d, ７e間の表面７cに当接し、貫通孔７d, ７eを挿通して竹材７aの裏側に到り、隣接する竹材７aの上記貫通孔７e, ７dにその裏側から表側に向けて挿通することにより、隣接する竹材７aを縫うように竹材７a同士を互いに連結して、これら竹材７aを内側胴体部５の外周面５bに巻き付けている。なお、７fは竹材７aの節である。
【００２１】
上記空間部９の長手方向両端及び内側胴体部５の両端開口部５aは、一対の革１３，１３により閉塞されている。該革１３，１３は、たとえば牛革や繊維入り強化合成樹脂製で、その外周縁が一対の環状枠１５，１５に結合されて張設されている。上記環状枠１５，１５は、その内径が上記外側胴体部７の外径より大きくなるように金属製のプレートを閉断面状に折り曲げて形成され、その端部間に上記革１３，１３の外周縁を挟持して革１３，１３と環状枠１５，１５とが外れないようにカシメ結合している。また、上記革１３，１３には、環状枠１５，１５に近接した位置に挿通孔１７が周方向に間隔を置いて多数開孔されている。
【００２２】
このような環状枠１５，１５と一体の革１３，１３を、内側胴体部５と外側胴体部７とで構成された胴体３に取り付けるには、先ず、革１３，１３を上記空間部９の長手方向両端及び内側胴体部５の両端開口部５a，５aを塞ぐように配置し、図４に示すように牽引紐１９を竹材７aの長手方向略中央に交差部Ｐ１，Ｐ２，...を形成し、かつＸ状となるように上記挿通孔１７に挿通して環状枠１５，１５に引掛けて、一対の環状枠１５，１５が互いに接近するように牽引する。これにより、一対の環状枠１５，１５は、胴体３の両端より中央寄りに位置付けられるとともに上記空間部９の長手方向両端及び内側胴体部５の両端開口部５a, ５aを閉塞した状態で竹材７a及び内側胴体部５の各両端部に圧接される。そして、一対の革１３，１３が竹材７aの両端を押圧するため、該竹材７aの弧状の両端縁が内側胴体部５の外周面５bに実質的に当接される。ここで、図３では、連結紐１１が竹材７aと内側胴体部５との間に介在しているため、竹材７aの弧状の両端縁は内側胴体部５の外周面５bに当接していない状態を示しているが、上述のように竹材７aが革１３，１３により上記外周面５bに押圧されているので、竹材７aの弧状の両端縁は実質的に上記外周面５bに当接している。
【００２３】
しかる後、図１に示すように、隣接する上記交差部Ｐ１とＰ２とが互いに接近し、かつ接離可能なように連結部材としてのロープ２１aにより上記交差部Ｐ１及びＰ２を一緒に巻き付けて連結部２３aを形成する。同様に、隣接する上記交差部Ｐ３とＰ４とが互いに接近し、かつ接離可能なように上記ロープ２１aにより交差部Ｐ３及びＰ４を一緒に巻き付けて連結部２３bを形成してロープ２１aの両端を解き可能に結ぶ。２５aはロープ２１aの結び部である。さらに、隣接する交差部Ｐ５とＰ６とを上記のようにして互いに接近し、かつ接離可能なように連結部材としてのロープ２１bにより一緒に巻き付けて連結部２３cを形成する。２５bはロープ２１bの解き可能な結び部である。なお、上記連結部２３cは、上記連結部２３a，２３bのように隣接の連結部とロープ２１bにより連結されていない。
【００２４】
このように、上記連結部２３a, ２３b, ２３cを形成することにより、上記一対の環状枠１５, １５間の牽引紐１９は、該環状枠１５, １５間内で長くなる方向に牽引されるため、環状枠１５,１５は互いに接近する方向に引っ張られ、これにより一対の上記革１３，１３の張力がさらに増大するとともに竹材７aは革１３，１３により内側胴体部５の外周面５b上にさらに強く押圧される。上記革１３，１３の張力の調整は、上記各連結部２３a, ２３b, ...を形成する際の上記交差部Ｐ１及びＰ２, Ｐ３及びＰ４, ...の接近度合を調整することにより設定する。即ち、たとえば、上記交差部Ｐ1及びＰ２を互いに近づくようにすることにより上記革１３，１３の張力は増大し、これとは逆に離れるようにすることにより上記張力は減少する。これにより音圧を調整することができる。
【００２５】
また、連結部２３bおよび２３c間には、該連結部２３b及び２３cを連結する連結部材としてのロープが張設されていないため、連結部２３b及び２３c間は、上記牽引紐１９により略菱形状の広い空間域２７が形成されている。これにより、バチで牽引紐１９やロープ２１a, ２１bを打つことなく上記空間域２７における上記竹材７aを容易に打つことができる。なお、上記空間域２７は、胴体３の外周面（外側胴体部７の外周面、即ち竹材７aの表面７c）に１箇所形成することなく多数箇所形成してもよいが、多数箇所形成した場合には、上記結び部２５a, ２５bが多くなり前述の牽引紐１９の張力調整が面倒になるため、１乃至３箇所程度が好ましい。
【００２６】
このように、上記実施形態では、内側胴体部５と外側胴体部７を構成する竹材７aとの間に閉断面状の空間部９が形成されているため、竹材７aをバチで打つと、竹材７aの打音が大気中に響く。一方、竹材７aの振動が上記空間部９の空気に伝播して内側胴体部５に作用し、これにより該内側胴体部５が共振する。この共振がさらに内側胴体部５内の空気に伝播して胴体３両側の革１３が共振し、これにより音を出す。竹材７aの上記打音と革１３の共振音とはそれぞれ異なった音色の音で、ほぼ同時に出るため、この異なった音色が合成されて、竹材７aの音色が強調された特有の音色の音が太鼓から発せられる。そして、上記竹材７aは、燻し処理されているため、バチで打ったとき高い音色の音を発するとともに竹材７aの表面に傷が付き難くく、その表面が燻し色を呈して太鼓の外観見栄えを向上する。
【００２７】
また、一対の革１３，１３が内側胴体部５及び長手方向からの圧縮力に強い竹材７aの両端部に圧接されているので、その圧接力は内側胴体部５と竹材７aとに分散される。このため、従来のように内側胴体部の肉厚を厚くしたり高強度の高価な材料を使用したりする必要がなく、安価な太鼓を得ることができる。
【００２８】
さらに、上記胴体３表面は、弧状の竹材７aが多数配設されているため、その表面が波形状をなして外観見栄えに優れている。
【００２９】
なお、上記実施形態において、竹材７aは燻し処理しているが、該燻し処理は必ずしも施さなくてもよい。また、内側胴体部５はダンボール製としたが、木材、合成樹脂材等の他の材料であってもよい。また、一対の革１３，１３を互いに牽引する牽引紐１９の挿通孔１７を上記革１３，１３に開孔したが、該挿通孔１７は革１３，１３の外周縁を結合した一対の環状枠１５，１５に開孔するようにしてもよい。さらに、複数の竹材７aを連結する連結紐１１は、竹材７aを内側胴体部５の外周面５bに配設する際に配設しやすくするためのものであるが、これを省くことも可能である。この場合、複数の竹材７aを内側胴体部５の外周面５bに配置した状態で、縛り紐で竹材７aを外側から内側胴体部５に縛り付けた後、一対の革１３，１３を牽引紐１９で互いに牽引する。これにより、竹材７aが革１３，１３により内側胴体部５の外周面５bに押圧されるため、竹材７aが内側胴体部５から外れることがない。このため、しかる後上記縛り紐を取り外す。
【産業上の利用可能性】
【００３０】
以上説明したように、この発明は、バチで胴体を打ったとき竹の音色が強調された音を発する太鼓に適している。
【図面の簡単な説明】
【００３１】
【図１】この発明の太鼓の斜視図である。
【図２】図１のII−II線断面図である。
【図３】図１のIII−III線断面図である。
【図４】図１の連結部２３a、２３b、２３cを形成する前の太鼓の斜視図である。
【符号の説明】
【００３２】
１    太鼓
３    胴体
５    内側胴体部
５a    開口部
７    外側胴体部
７a    竹材
９    空間部
１３    革
１５    環状枠
１９    牽引紐
２１a、２１b    ロープ（連結部材）
２３a、２３b、２３c    連結部
２７    空間域
Ｐ１、２、...    交差部
【図１】
0003699972.tif 000002
【図２】
0003699972.tif 000003
【図３】
0003699972.tif 000004
【図４】
0003699972.tif 000005